(57)【要約】      （修正有）【課題】  操作レバーに不要な力がかかることなく操作性の良い綴じ具を提供する。【解決手段】  台部材２２上において被綴じ物Ｘを押圧保持する押圧部７６を有する綴じ部材７０と、台部材２２上で、ロック状態とそれを解除する状態とに操作する操作部材６０と、台部材２２に装着され、操作部材６０に連結されるとともに綴じ部材７０に連結され、被綴じ物Ｘを押圧する方向に付勢するばね部材５０とを含み、ばね部材５０は、台部材２２に装着された巻線部５０ａと、巻線部５０ａから綴じ部材７０側に延びる第１端部５０ｃと、巻線部５０ａから操作部材６０側に延びる第２端部５０ｂとを有し、外力が作用しない第１端部５０ｃと外力が作用しない第２端部５０ｂとは、巻線部５０ａからその先端に向かうに従って、それぞれが離れ拡がる方向に向けて延びるように形成され、第２端部５０ｂは、操作部材６０をロックするための移動方向と略平行にに固定されている。【選択図】図３
2006315292.tif 000002
【特許請求の範囲】
【請求項１】
板状の台部材と、
前記台部材上において被綴じ物を押圧して保持する押圧部を有する綴じ部材と、
前記台部材上において、被綴じ物を押圧するロック状態とロックを解除する状態とに移動可能に設けられた操作部材と、
前記台部材に装着され、前記操作部材に連結されるとともに綴じ部材に連結され、被綴じ物を押圧する方向に綴じ部材を付勢するばね部材とを含み、
前記ばね部材は、台部材に装着された巻線部と、前記巻線部から綴じ部材側に延びる第１端部と、前記巻線部から操作部材側に延びる第２端部とを有し、
前記外力が作用しない第１端部と外力が作用しない第２端部とは、巻線部からその先端に向かうに従って、それぞれが離れ拡がる方向に向けて延びるように形成され、
前記外力が作用しない第２端部は、操作部材をロックするための移動方向と略平行に操作部材に固定された、綴じ具。
【請求項２】
板状の台部材と、
前記台部材上において台部材に接近離間自在に設けられ、台部材の面に接近し被綴じ物を押圧して保持する押圧部を有する綴じ部材と、
前記台部材上の軸に固定され、被綴じ物を押圧するロック状態とロックを解除する状態とに前記軸を中心に回動可能に設けられた操作部材と、
前記台部材上に固定された軸に装着され、前記操作部材に連結されるとともに綴じ部材に連結され、被綴じ物を押圧する方向に綴じ部材を付勢するばね部材とを含み、
前記ばね部材は、前記軸の外周に装着された巻線部と、前記巻線部から綴じ部材側に延びる第１端部と、前記巻線部から操作部材の長手方向に延びる第２端部とを有し、
前記外力が作用しない第１端部と外力が作用しない第２端部とは、巻線部からその先端に向かうに従って、それぞれが離れる方向に向けて延びるように形成され、
前記外力が作用しない第２端部は、操作部材のロックするために回動する軌道面に沿って操作部材に固定された、請求項１に記載の綴じ具。
【請求項３】
前記ばね部材は、巻線部が捩りコイルばねで、
第２端部は、操作部材の長手方向と略平行した直線状に延びて形成され、
巻線部は、操作部材の長手方向と斜めに交差するように、第２端部側から第１端部側に向けて延びて形成された、請求項１または２に記載の綴じ具。
【請求項４】
前記台部材は、軸の両端を軸支する軸固定部を有し、
前記操作部材は、自由端とは反対側端の近傍で、前記軸固定部の間において軸により、軸固定部に回動自在に固定され、
前記ばね部材は、軸固定部の間において、巻線部が軸の軸回りに装着され、
前記軸は、装着されたばね部材の第１端部の側が、操作部材の自由端より離れる方向で第２端部の側より向こう側の位置において台部材の軸固定部に固定された、請求項１ないし３のいずれかに記載の綴じ具。
【請求項５】
板状の台部材と、
前記台部材上において被綴じ物を押圧して保持する押圧部を有する綴じ部材と、
前記台部材上において、被綴じ物を押圧するロック状態とロックを解除する状態とに移動可能にその固定部において台部材に固定された操作部材と、
前記台部材上に装着され、前記操作部材に連結されるとともに綴じ部材に連結され、被綴じ物を押圧する方向に綴じ部材を付勢するばね部材とを含み、
前記台部材は、前記操作部材の固定部を固定する操作部材固定部を備え、
前記ばね部材は、台部材に軸にて装着された巻線部と、前記巻線部から綴じ部材側に延びる第１端部と、前記巻線部から操作部材側に延びる第２端部とを有し、
前記外力が作用しない第１端部と外力が作用しない第２端部とは、巻線部からその先端に向かうに従って、それぞれが離れ拡がる方向に向けて延びるように形成され、
前記巻線部は、前記軸の長さ方向において、第２端部の先端の拡がる方向とは反対方向に移動されて前記操作部材の固定部の近傍において固定された、綴じ具。
【請求項６】
板状の台部材と、
前記台部材上において被綴じ物を押圧して保持する押圧部を有する綴じ部材と、
前記台部材上において、被綴じ物を押圧するロック状態とロックを解除する状態とに移動可能にその固定部において台部材に固定された操作部材と、
前記台部材上に装着され、前記操作部材に連結されるとともに綴じ部材に連結され、被綴じ物を押圧する方向に綴じ部材を付勢するばね部材とを含み、
前記台部材は、前記操作部材の固定部と接して固定する軸受部を備え、
前記ばね部材は、台部材に装着された巻線部と、前記巻線部から綴じ部材側に延びる第１端部と、前記巻線部から操作部材側に延びる第２端部とを有し、
前記外力が作用しない第１端部と外力が作用しない第２端部とは、巻線部からその先端に向かうに従って、それぞれが離れ拡がる方向に向けて延びるように形成され、
前記巻線部は、巻線部の第２端部側より第２端部の先端の拡がった幅に対応して、操作部材と対向する軸受部の主面より第２端部の先端の拡がる方向とは反対方向に離れて前記操作部材の固定部の近傍において固定された、綴じ具。
【請求項７】
板状の台部材と、
前記台部材上において被綴じ物を押圧して保持する押圧部を有する綴じ部材と、
前記台部材上において、被綴じ物を押圧するロック状態とロックを解除する状態とに移動可能にその固定部において台部材に固定された操作部材と、
前記台部材上に装着され、前記操作部材に連結されるとともに綴じ部材に連結され、被綴じ物を押圧する方向に綴じ部材を付勢するばね部材とを含み、
前記ばね部材は、台部材に装着された巻線部と、前記巻線部から綴じ部材側に延びる第１端部と、前記巻線部から操作部材側に延びる第２端部とを有し、
前記台部材は、前記操作部材の固定部と接して固定する操作部材固定部を備え、
前記操作部材の固定部及び／又は台部材の操作部材固定部には、巻線部を第２端部の先端の拡がる方向とは反対方向に離すためのスペーサーが形成された、綴じ具。
【請求項８】
板状の台部材と、
前記台部材上において被綴じ物を押圧して保持する押圧部を有する綴じ部材と、
前記台部材の軸に固定され、被綴じ物を押圧するロック状態とロックを解除する状態とに回動可能に設けられた操作部材と、
前記台部材上に固定された軸に装着され、前記操作部材に連結されるとともに綴じ部材に連結され、被綴じ物を押圧する方向に綴じ部材を付勢するばね部材とを含み、
前記ばね部材は、軸の外周に装着された巻線部と、前記巻線部から綴じ部材側に延びる第１端部と、前記巻線部から操作部材側に延びる第２端部とを有し、
前記台部材は、板状本体と、その一端部より上方に向けて突設された軸受部とを備え、
前記軸受部は、操作部材の固定部を枢支し、且つ軸の固定部の周辺において、操作部材側に向けて突設され、操作部材と接触するスペーサーが形成された、請求項７に記載の綴じ具。
【請求項９】
板状の台部材と、
前記台部材上において被綴じ物を押圧して保持する押圧部を有する綴じ部材と、
前記台部材上において、被綴じ物を押圧するロック状態とロックを解除する状態とに移動可能にその固定部において台部材に固定された操作部材と、
前記台部材上に装着され、前記操作部材に連結されるとともに綴じ部材に連結され、被綴じ物を押圧する方向に綴じ部材を付勢するばね部材とを含み、
前記ばね部材は、台部材に装着された巻線部と、前記巻線部から綴じ部材側に延びる第１端部と、前記巻線部から操作部材側に延びる第２端部とを有し、
前記外力が作用しない第１端部と外力が作用しない第２端部とは、巻線部からその先端に向かうに従って、それぞれが離れ拡がる方向に向けて延びるように形成され、
前記台部材は、前記操作部材の固定部と接して固定する操作部材固定部を備え、
前記台部材の操作部材固定部は、巻線部を第２端部の先端の拡がる方向とは反対方向に移動されて形成された、綴じ具。
【請求項１０】
板状の台部材と、
前記台部材上において被綴じ物を押圧して保持する押圧部を有する綴じ部材と、
前記台部材上において、被綴じ物を押圧するロック状態とロックを解除する状態とに移動可能にその固定部において台部材に固定された操作部材と、
前記台部材上に装着され、前記操作部材に連結されるとともに綴じ部材に連結され、被綴じ物を押圧する方向に綴じ部材を付勢するばね部材とを含み、
前記ばね部材は、台部材に装着された巻線部と、前記巻線部から綴じ部材側に延びる第１端部と、前記巻線部から操作部材側に延びる第２端部とを有し、
前記外力が作用しない第１端部と外力が作用しない第２端部とは、巻線部からその先端に向かうに従って、それぞれが離れ拡がる方向に向けて延びるように形成され、
前記台部材は、前記操作部材の固定部と接して固定する軸受部を備え、
前記軸受部は、軸受部の操作部材と対向する主面から巻線部を第２端部の拡がり方向とは反対側に離するためのスペーサーが形成された、綴じ具。
【発明の詳細な説明】
【技術分野】
【０００１】
この発明は、綴じ具に関し、特にたとえば、操作レバーを操作して書類などの被綴じ物を挟み込んでファイル・バインダー類に綴じるための綴じ具に関する。
【背景技術】
【０００２】
従来、ファイル・バインダー類に用箋等の被綴じ物を穴を開けずに綴じる綴じ具として、Ｚ式金具が一般的である。
このＺ式金具、すなわち綴じ具１は、図３５に示すようなファイル・バインダー類を構成する表紙の背表紙に沿って取り付けられる基板２を含み、基板２の幅方向の一端側に軸受板３が直立して設けられている。軸受板３には、基板２に対して垂直な平面内で回動可能に、操作レバー４が軸支されている。さらに、操作レバー４の回動と連動して基板２に対して接近離間する押え板５が設けられる。押え板５と操作レバー４との間には、操作レバー４を操作したときに、押え板５を基板２側に付勢するための捩りばねからなるばね部材６が設けられている。このばね部材６を挟んで両側に、クランク７が取り付けられる。クランク７は、軸受板３と押え板５の間に掛け渡され、押え板５が基板２に対してほぼ平行な姿勢で基板２に接近離間するようにしている。押え板５は、板状で、幅方向の両側で書類などの被綴じ物を押える構成となっている。
このような綴じ具１では、操作レバー４を操作することにより、押え板５が軸受板３に沿って移動しながら基板２方向に変位し、操作レバー４の係合突起４ａを軸受板３の係止孔３ａに係止させて、書類などの被綴じ物を挟み込んで保持することができる（特許文献１の従来技術の説明及び図７参照）。
このばね部材６は、コイル部から延びる入力腕が操作レバー４に固定され、コイル部から延びる出力腕が押え板５に固定される。
このばね部材６の入力腕が操作レバー４を軸受板３の係合突起に押し付けるためにコイル部の端部から軸受板３側に向かって広がるように構成されている。
また、ばね部材６は、コイル部の両端から延長される入力腕及び出力腕が、その先端に向かうに従ってそれぞれが離れる方向に向けて延びるように形成されており、たとえそれぞれの先端が離れないように製造しても、ばね部材６（捩りばね）を構成する線材の性質上、入力腕と出力腕とは先端に向かうに従って、八の字状に広がる性質を有している。
【０００３】
【特許文献１】特開平７−２４６７９４号公報
【発明の開示】
【発明が解決しようとする課題】
【０００４】
ところが、従来の綴じ具の捩りばねからなるばね部材６は、操作レバー４を軸受板３側に付勢する力も強い。そのために、ロックを解除するには、操作レバー４の自由端を押し下げ、その後操作レバー４を軸受板３とは逆方向に水平移動させて回動させるとき、捩りばねによる力が解除する方向とは反対方向に作用するので、反対方向の力を打ち消すために強い力で操作レバー４を軸受板３とは離れる方向に押す必要性があり、操作性が悪い。
それゆえに、この発明の主たる目的は、操作レバーに不要な力がかかることなく操作性の良い綴じ具を提供することである。
【課題を解決するための手段】
【０００５】
この発明の請求項１にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能に設けられた操作部材と、前記台部材に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記外力が作用しない第２端部は、操作部材をロックするための移動方向と略平行に操作部材に固定された、綴じ具である。
この請求項２にかかる綴じ具は、板状の台部材と、前記台部材上において台部材に接近離間自在に設けられ、台部材の面に接近し被綴じ物を押圧して保持する押圧部を有する綴じ部材と、前記台部材上の軸に固定され、被綴じ物を押圧するロック状態とロックを解除する状態とに前記軸を中心に回動可能に設けられた操作部材と、前記台部材上に固定された軸に装着され、前記操作部材に連結されるとともに綴じ部材に連結され、被綴じ物を押圧する方向に綴じ部材を付勢するばね部材とを含み、前記ばね部材は、前記軸の外周に装着された巻線部と、前記巻線部から綴じ部材側に延びる第１端部と、前記巻線部から操作部材の長手方向に延びる第２端部とを有し、前記外力が作用しない第１端部と外力が作用しない第２端部とは、巻線部からその先端に向かうに従って、それぞれが離れる方向に向けて延びるように形成され、前記外力が作用しない第２端部は、操作部材のロックするために回動する軌道面に沿って操作部材に固定された、請求項１に記載の綴じ具である。
この発明の請求項３にかかる綴じ具は、前記ばね部材は、巻線部が捩りコイルばねで、第２端部は、操作部材の長手方向と略平行した直線状に延びて形成され、巻線部は、操作部材の長手方向と斜めに交差するように、第２端部側から第１端部側に向けて延びて形成された、請求項１または２に記載の綴じ具である。
この発明の請求項４にかかる綴じ具は、前記台部材は、軸の両端を軸支する軸固定部を有し、前記操作部材は、自由端とは反対側端の近傍で、前記軸固定部の間において軸により、軸固定部に回動自在に固定され、前記ばね部材は、軸固定部の間において、巻線部が軸の軸回りに装着され、前記軸は、装着されたばね部材の第１端部の側が、操作部材の自由端より離れる方向で第２端部の側より向こう側の位置において台部材の軸固定部に固定された、請求項１ないし３のいずれかに記載の綴じ具である。
この発明の請求項５にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記台部材は、前記操作部材の固定部を固定する操作部材固定部を備え、前記ばね部材は、台部材に軸にて装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記巻線部は、前記軸の長さ方向において、第２端部の先端の拡がる方向とは反対方向に移動されて前記操作部材の固定部の近傍において固定された、綴じ具である。
この発明の請求項６にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記台部材は、前記操作部材の固定部と接して固定する軸受部を備え、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記巻線部は、巻線部の第２端部側より第２端部の先端の拡がった幅に対応して、操作部材と対向する軸受部の主面より第２端部の先端の拡がる方向とは反対方向に離れて前記操作部材の固定部の近傍において固定された、綴じ具である。
この発明の請求項７にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記台部材は、前記操作部材の固定部と接して固定する操作部材固定部を備え、前記操作部材の固定部及び／又は台部材の操作部材固定部には、巻線部を第２端部の先端の拡がる方向とは反対方向に離すためのスペーサーが形成された、綴じ具である。
この発明の請求項８にかかる綴じ具は、板状の台部材と、前記台部材上において被綴じ物を押圧して保持する押圧部を有する綴じ部材と、前記台部材の軸に固定され、被綴じ物を押圧するロック状態とロックを解除する状態とに回動可能に設けられた操作部材と、前記台部材上に固定された軸に装着され、前記操作部材に連結されるとともに綴じ部材に連結され、被綴じ物を押圧する方向に綴じ部材を付勢するばね部材とを含み、前記ばね部材は、軸の外周に装着された巻線部と、前記巻線部から綴じ部材側に延びる第１端部と、前記巻線部から操作部材側に延びる第２端部とを有し、前記台部材は、板状本体と、その一端部より上方に向けて突設された軸受部とを備え、前記軸受部は、操作部材の固定部を枢支し、且つ軸の固定部の周辺において、操作部材側に向けて突設され、操作部材と接触するスペーサーが形成された、請求項７に記載の綴じ具である。
この発明の請求項９にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記台部材は、前記操作部材の固定部と接して固定する操作部材固定部を備え、前記台部材の操作部材固定部は、巻線部を第２端部の先端の拡がる方向とは反対方向に移動されて形成された、綴じ具である。
この発明の請求項１０にかかる綴じ具は、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記台部材は、前記操作部材の固定部と接して固定する軸受部を備え、前記軸受部は、軸受部の操作部材と対向する主面から巻線部を第２端部の拡がり方向とは反対側に離するためのスペーサーが形成された、綴じ具である。
【発明の効果】
【０００６】
この発明によれば、板状の台部材と、前記台部材上において被綴じ物を押圧して保持する押圧部を有する綴じ部材と、前記台部材上において、被綴じ物を押圧するロック状態とロックを解除する状態とに移動可能に設けられた操作部材と、前記台部材に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記外力が作用しない第２端部は、操作部材をロックするための移動方向と略平行に操作部材に固定されているので、ばね部材の第２端部は、ロックを解除する方向に力を作用させることが少なく、操作部材のロックを解除するには、操作部材は不要な力がかかることなく比較的弱い力で解除することができ、操作性が良い。
請求項５の発明によれば、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記台部材は、前記操作部材の固定部を固定する操作部材固定部を備え、前記ばね部材は、台部材に軸にて装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、記巻線部は、前記軸の長さ方向において、第２端部の先端の拡がる方向とは反対方向に移動されて前記操作部材の固定部の近傍において固定されているので、ばね部材の第２端部は、ロックを解除する方向に力を作用させることが少なく、操作部材を被綴じ物を押圧するロック状態にするために移動させるときもまたロックを解除するために移動させるときにも、操作部材は不要な力がかかることなく操作でき、操作性が良い。
請求項６の発明によれば、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記台部材は、前記操作部材の固定部と接して固定する軸受部を備え、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記巻線部は、巻線部の第２端部側より第２端部の先端の拡がった幅に対応して、操作部材と対向する軸受部の主面より第２端部の先端の拡がる方向とは反対方向に離れて前記操作部材の固定部の近傍において固定されているので、ばね部材の第２端部は、ロックを解除する方向に力を作用させることが少なく、操作部材を被綴じ物を押圧するロック状態にするために移動させるときもまたロックを解除するために移動させるときにも、操作部材は不要な力がかかることなく操作でき、操作性が良い。
請求項７及び８の発明によれば、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記台部材は、前記操作部材の固定部と接して固定する操作部材固定部を備え、前記操作部材の固定部及び／又は台部材の操作部材固定部には、巻線部を第２端部の先端の拡がる方向とは反対方向に離すためのスペーサーが形成されているので、ばね部材の第２端部は、ロックを解除する方向に力を作用させることが少なく、操作部材を被綴じ物を押圧するロック状態にするために移動させるときもまたロックを解除するために移動させるときにも、操作部材は不要な力がかかることなく操作でき、操作性が良い。
請求項９の発明によれば、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記台部材は、前記操作部材の固定部と接して固定する操作部材固定部を備え、前記台部材の操作部材固定部は、巻線部を第２端部の先端の拡がる方向とは反対方向に移動されて形成されているので、ばね部材の第２端部は、ロックを解除する方向に力を作用させることが少なく、操作部材を被綴じ物を押圧するロック状態にするために移動させるときもまたロックを解除するために移動させるときにも、操作部材は不要な力がかかることなく操作でき、操作性が良い。
請求項１０の発明によれば、板状の台部材と、前記台部材上において被綴じ物を押圧して保持する押圧部を有する綴じ部材と、前記台部材上において、被綴じ物を押圧するロック状態とロックを解除する状態とに移動可能にその固定部において台部材に固定された操作部材と、前記台部材上に装着され、前記操作部材に連結されるとともに綴じ部材に連結され、被綴じ物を押圧する方向に綴じ部材を付勢するばね部材とを含み、前記ばね部材は、台部材に装着された巻線部と、前記巻線部から綴じ部材側に延びる第１端部と、前記巻線部から操作部材側に延びる第２端部とを有し、前記外力が作用しない第１端部と外力が作用しない第２端部とは、巻線部からその先端に向かうに従って、それぞれが離れ拡がる方向に向けて延びるように形成され、前記台部材は、前記操作部材の固定部と接して固定する軸受部を備え、前記軸受部は、軸受部の操作部材と対向する主面から巻線部を第２端部の拡がり方向とは反対側に離するためのスペーサーが形成されているので、ばね部材の第２端部は、ロックを解除する方向に力を作用させることが少なく、操作部材を被綴じ物を押圧するロック状態にするために移動させるときもまたロックを解除するために移動させるときにも、操作部材は不要な力がかかることなく操作でき、操作性が良い。
【０００７】
この発明の上述の目的、その他の目的、特徴および利点は、図面を参照して行う以下の発明を実施するための最良の形態の説明から一層明らかとなろう。
この発明の説明において、ファイルの手前側を前側または下側といい、向こう側を後側または上側という。
【発明を実施するための最良の形態】
【０００８】
図１はこの発明の一実施の形態である綴じ具を示す斜視図であり、図２は図１に示す綴じ具を閉じた状態を示す斜視図であり、図３は図１に示す綴じ具のばね部材及びスペーサー部の近傍を表わした平面図解図であり、図４は図１に示す綴じ具のばね部材及びピンを示す平面図解図であり、図５は図１に示す綴じ具を開いた状態を示す側面図解図であり、図６は図１に示す綴じ具を閉じた状態を示す側面図解図であり、図７は図１に示す綴じ具の分解斜視図である。
綴じ具２０は、金属製薄板によって形成される台部材を構成する板状本体たる基板２２を含む。基板２２の幅方向の一端側における直線状長手端縁に操作部材固定部を構成する軸受部を備え、軸受部は、図７に示すように、基板２２に対して直立する起立面部を有する軸受板２４が一体的に形成されてなる。軸受板２４は、基板２２の長手方向の手前側端縁より向こう側端縁近傍に至るまで連続して形成される。軸受板２４の長手方向の一端側（向こう側）には、操作部材固定部を構成する円形の貫通孔２６が形成され、軸受板２４の長手方向の他端側（手前側）には、後述の操作レバーを固定するための固定用凸部２８が形成される。固定用凸部２８は、たとえば軸受板２４に４角形の孔を形成し、孔の上方部分を基板２２側に押し出すことにより形成される。
【０００９】
軸受板２４の貫通孔２６形成部の向こう側近傍において、軸受板２４と適宜な間隔を隔てて基板２２の長手方向の一端側の角部が切り起こされ、枢支部３０が形成される。枢支部３０の主面は、軸受板２４の主面と直交するように形成される。この枢支部３０には、円形の貫通孔３２が形成される。さらに、固定用凸部２８の手前側近傍において、枢支部３０の主面に平行な面を有する別の枢支部３４が形成される。枢支部３４は、基板２２にＵ字状の切り込みを形成し、この部分を切り起こすことにより形成される。この枢支部３４には、円形の貫通孔３６が形成される。これらの枢支部３０と枢支部３４とは対向し、その貫通孔３２，３６を結ぶ線は、軸受板２４の基板２２側の主面に平行となるように配置される。
【００１０】
さらに、これらの枢支部３０，３４の間であって、枢支部３０の貫通孔３２と枢支部３４の貫通孔３６とを結ぶ線より軸受部２４から離れる側において、軸受板２４の面と平行な面を有する軸受部３８が形成される。この軸受部３８も、基板２２にＵ字状の切り込みを形成し、この部分を切り起こすことにより形成される。この軸受部３８には、円形の貫通孔４０が形成され、軸受板２４の貫通孔２６と軸受部３８の貫通孔４０とが対向するように配置される。すなわち、枢支部３０の貫通孔３２と枢支部３４の貫通孔３６とを結ぶ線と、軸受板２４の貫通孔２６と軸受部３８の貫通孔４０とを結ぶ線とが、互いに斜交するように形成される。また、基板２２の幅方向の他端側には、２つの凸部４２が形成される。これらの凸部４２は、基板２２の長手方向に一定の間隔をおいて並んで形成される。そして、基板２２の長手方向の両側には、綴じ具２０をファイルなどに取り付けるための貫通孔４４が向こう側と手前側とに一対形成される。
【００１１】
軸受板２４の貫通孔２６と軸受部３８の貫通孔４０には、軸４６が挿通され、軸４６に捩りコイルばねからなるばね部材５０および操作部材たる操作レバー６０が取り付けられる。
ばね部材５０は、軸４６の外周に巻装された巻線部５０ａと、前記巻線部５０ａの一端から綴じ部材７０側に延びる第１端部５０ｃと、前記巻線部５０ａの軸受板２４側の他端から操作部材６０側に直線状に延びる第２端部５０ｂとを有している。
【００１２】
ばね部材５０の第２端部５０ｂは、巻線部５０ａの軸受板２４側でその後側の上端より手前側に直線状に延び、その先端が外力を受けないときは、その先端が手前側に斜め上方に向けて延びるように形成されている。
第１端部５０ｃは、巻線部５０ａの軸受部３８側でその手前側の下端より軸受板２４とは反対側に延びた立ち上がり部５０ｂを備え、外力を受けないときは略Ｌ字状となるように、上方に延びた立ち上がり部５０ｄの上端から斜め上方に架け渡し部５０ｅが延び、架け渡し部５０ｅの自由端側に水平方向に屈曲した係止部５０ｆが突設されている。
前記外力が作用しない第１端部５０ｃと外力が作用しない第２端部５０ｂ（特に立ち上がり部５０ｂ）とは、巻線部５０ａからその先端に向かうに従って、それぞれが離れ拡がる方向に向けて延びる略八の字状に形成されている。
【００１３】
基板２２は、軸４６の一端を軸支する軸固定部たる軸受板２４と、前記軸受板２４の貫通孔２６より向こう側にわずかにずれた位置に形成され、軸４６の他端を軸支する軸固定部たる軸受部３８とを有する。
軸受板２４の貫通孔２６に固定された軸４６は、その綴じ部材７０側である軸受部３８側の方が、軸４６の軸受板２４側を中心にして操作レバー６０の自由端より離れる方向に水平面上において回転した位置において、軸受部３８の貫通孔４０に固定されている。
ばね部材５０は、軸固定部たる軸受板２４と軸受部３８との間において、巻線部５０ａが軸４６の軸回りに略水平に装着され、前記外力が作用しない第２端部５０ｂは、操作レバー６０の長手方向と略平行に操作レバー６０に固定されている。
すなわち、前記外力が作用しない第２端部５０ｂは、被綴じ物Ｘを押圧するロック状態とロックを解除する状態とに操作レバー６０を回動させる方向、すなわち操作レバー６０が回動する軌道面に沿って、操作レバー６０に固定されている。
【００１４】
巻線部５０ａの内径は、軸４６の外径と略同じで、殆んどクリアランスがない状態において、軸４６の外周面上に巻線部５０ａが巻装されている。
すなわち、巻線部５０ａは、操作レバー６０の長手方向とは斜めに交差するように第２端部５０ｂ側から第１端部５０ｃ側に向けて延び、ばね部材５０の第１端部５０ｃの側が、第２端部５０ｂの側より向こう側の位置において、基板２２に固定されている。
ばね部材５０に外力が作用しないとき、第１端部５０ｃは、操作レバー６０の自由端を軸４６を枢軸として押し上げるように形成され、第２端部５０ｂは、綴じ部材７０を基板２２の表面に接近するように形成されている。
ばね部材５０は、第２端部５０ｃが操作レバー６０の長手方向と略平行に操作レバー６０に固定されているので、操作レバー６０を倒伏位置に向けて押し下げるとき、軸受板２４と略平行な方向すなわち垂直方向に向けて押し下げ、軸受板２４に形成された固定部たる固定用凸部２８に係止させることができる。
【００１５】
操作レバー６０は、金属板などによって長尺状に形成され、その強度を高めるために、横断面略Ｌ字状または横断面略Ｕ字状に形成され、軸受板２４側の第１垂直側壁６０ａと、第１垂直側壁６０ａと一定の間隔をおいて平行に形成された第２垂直側壁６０ｂとを備える。
操作レバー６０の長手方向の一端側における第１垂直側壁６０ａには、円形の貫通孔６２が形成される。そして、軸４６が、操作レバー６０の貫通孔６２と第１垂直側壁６０ａの内側に配設されたばね部材５０の巻線部５０ａとに挿通するようにして、軸受板２４および軸受部３８に取り付けられる。ばね部材５０の第２端部５０ｂは、操作レバー６０の内側に沿って配置され、操作レバー６０の第１垂直側壁６０ａの一部を内側に折り曲げた折曲片６４によって固定される。さらに、操作レバー６０の第１垂直側壁６０ａには、軸受板２４の固定用凸部２８に対応する位置に矩形の貫通孔６６が形成される。この貫通孔６６に固定用凸部２８が嵌め込まれることにより、操作レバー６０が軸受板２４に固定される。また、操作レバー６０の長手方向の他端側は、幅広の操作部６０ｃが形成され、指で操作しやすくなっている。
なお、固定用凸部２８は、操作レバー６０の第１垂直側壁６０ａ及び第２垂直側壁６０ｂが基板２２の表面に達する前に、操作レバー６０の貫通孔６２から外れる幅を有している。
【００１６】
前記操作レバー６０は、軸受板２４に固定する部位である固定部たる第１垂直側壁６０ａを備え、軸受板２４は、前記操作レバー６０の第１垂直側壁６０ａと接して操作レバー６０を固定する部位である操作部材固定部たる貫通孔２６周辺に、スペーサー１２４を備える。
すなわち、軸４６の固定部たる貫通孔２６の周辺は、操作レバー６０側に向けて円環状に打ち出し膨出されたスペーサー１２４が形成されている。そして、スペーサー１２４の突出分だけ軸受板２４の内面と操作レバー６０の第１垂直側壁６０ａの外面との間に間隔があき、操作レバー６０をロック状態とロックを解除する状態とに回動させるとき、ばね部材５０の不要な力が操作レバー６０にかかることなく操作レバー６０が軸受板２４に擦れることがない。
この実施の形態においては、スペーサー１２４が軸受板２４に形成されたが、スペーサー１２４は、操作レバー６０側に形成してもよく、また軸受板２４と操作レバー６０の両方に形成してもよい。例えば、操作レバー６０の第１垂直側壁６０ａの周辺を、軸受板２４側に向けて円環状に膨出されたスペーサーを形成するようにしてもよい。
【００１７】
さらに、基板２２上には、平面視略長方形状の綴じ部材７０が、基板２２の長手方向に延びて軸受板２４と平行に取り付けられ、軸受板２４とは反対側の長手端縁が基板２２の表面に接近離間するように形成される。綴じ部材７０は、たとえば１枚の金属板によって形成される。綴じ部材７０は、たとえば枢支部３０，３４の距離に略等しい長さを有し、幅方向において上方に向けて膨らむように湾曲する形状（断面半円弧状）に形成される。
そして、綴じ部材７０の幅方向の軸受板２４側において、その長手方向の両側に突出する枢軸たる突出片７２が形成される。これらの突出片７２が、枢軸受けたる枢支部３０の貫通孔３２および枢支部３４の貫通孔３６に嵌め込まれる。したがって、綴じ部材７０は、２つの突出片７２を結ぶ線を回転中心として回動可能となっている。なお、突出片７２の強度を高め、貫通孔３２，３６内で突出片７２が回転しやすいように、突出片７２は幅方向に屈曲するように形成される。このように、綴じ部材７０から突出する突出片７２を枢支部３０，３４の貫通孔３２，３６に嵌め込むことにより、別部品たる回転軸などを用いて綴じ部材７０を回動可能に保持する場合に比べて、部品数を少なくすることができる。
【００１８】
また、綴じ部材７０の幅方向における軸受板２４の反対側は、上述の回転中心側（突出片７２側）に向かって折り曲げられ、折曲部７４が形成される。折曲部７４は、綴じ部材７０の手前側端縁より向こう側端縁に至るまで連続して形成される。さらに、折曲部７４の先端側が基板２２側に向かって折り曲げられ、書類などの被綴じ物Ｘを押えるための押圧部７６が形成される。押圧部７６は、折曲部７４の手前側端縁より向こう側端縁に至るまで連続して形成される。押圧部７６は、綴じ部材７０が基板２２側に閉じた状態のときに、折曲部７４から基板２２に向かうにしたがって、綴じ部材７０の回転中心側に傾斜するように形成される。したがって、折曲部７４と押圧部７６とは、略Ｌ字状に連設される。この押圧部７６によって、書類などの被綴じ物Ｘが１本の直線状に押圧される。ここで、綴じ部材７０が基板２２側に閉じた状態のときに、折曲部７４は綴じ部材７０の端部側から綴じ部材７０の内側に向けて上昇する。
【００１９】
折曲部７４には、矩形の貫通孔７８が形成され、ばね部材５０の第１端部５０ｃが上から嵌め込まれ、ばね部材５０の第１端部５０ｃの先端部が折り曲げられて貫通孔７８から外れないようにされている。この実施の形態においては、貫通孔７８は、綴じ部材７０の前後端に形成された突出片７２の間において、軸４６に巻装された巻線部５０ａに近い位置に形成されている。さらに、押圧部７６には、書類などの被綴じ物Ｘを押さえ付けたときの力による変形を防ぐために、直線状のリブ８０が形成されている。
【００２０】
ばね部材５０の先端部（係止部５０ｆ）は、図５及び６において示すように、綴じ部材７０が閉じた状態のときと開いた状態のときのいずれのときにも、基板２２の幅方向における位置は殆ど変わらない。そして、綴じ部材７０が綴じる書類などの被綴じ物Ｘを押圧して操作レバー６０を固定用凸部２８に係止させたときには、ばね部材５０の第１端部５０ｃが屈曲状態から伸びた状態になるとともに先端部（係止部５０ｆ）がねじれて係止部５０ｆが水平状態から下向きに変形するが、このばね部材５０の変形状態を許容できるように、貫通孔７８が折曲部７４の長手方向及び幅方向に延びている。
【００２１】
なお、押圧部７６によって押圧される部分は、１本の直線状に限らず、図８に示すように、押圧部７６の長手方向の両端部で押圧されてもよい。この場合、押圧部７６の先端においては、長手方向の両端部から中央部に向かうにしたがって凹むような形状に形成される。また、図９に示すように、押圧部７６の長手方向の複数個所の凹部を形成し、直線上の複数の点で書類など被綴じ物Ｘを押圧してもよい。さらに、直線上の複数個所で書類などの被綴じ物Ｘを押圧する場合、図１０に示すように、点ではなく線状に押圧してもよい。このように、押圧部７６で押圧する部分は、１本の直線状であってもよいし、直線上の複数個所における点または線状の部分であってもよい。
【００２２】
このような綴じ具２０は、たとえば基板２２に形成された貫通孔４４に取付用金具などを挿通することにより、ファイルなどに取り付けられる。そして、操作レバー６０を操作することにより、綴じ部材７０を開閉することができる。ここで、図１に示すように、操作レバー６０を上げることにより、ばね部材５０の他方側５０ｃが綴じ具２０を持ち上げ、基板２２と綴じ部材７０の押圧部７６との間に隙間が生じる。この隙間に書類などの被綴じ物Ｘが挿入され、操作レバー６０を下げることにより、綴じ部材７０が閉じて、押圧部７６によって書類などの被綴じ物Ｘが基板２２に向かって押し付けられる。つまり、操作レバー６０を下げることにより、ばね部材５０の巻線部５０ａが締め付けられ、ばね部材５０の第１端部５０ｃによって、押圧部７６が基板２２方向に付勢される。
【００２３】
このとき、図１１に示すように、書類などの被綴じ物Ｘに対して、押圧部７６が斜めに押し付けられる。そして、書類などの被綴じ物Ｘを引き抜くような力が加わったとき、押圧部７６の傾斜方向とは逆向きの力が加わるとともに、折曲部７４および押圧部７６の屈曲部分をさらに屈曲させる向きの力が加わる。このような折曲部７４および押圧部７６の変形が元に戻ろうとする力により、押圧部７６から書類などの被綴じ物Ｘの引き抜きに対して抵抗力となるような力が加わり、書類などの被綴じ物Ｘが綴じ具２０から外れにくくなる。
【００２４】
さらに、押圧部７６が折曲部７４から基板２２側に向かうにしたがって綴じ部材７０の回転中心側に向かうように傾斜しているため、図１２に示すように、書類などの被綴じ物Ｘが厚くなっても、書類などの被綴じ物Ｘが薄いときと比してやや立ちぎみとはなるが、押圧部７６は書類などの被綴じ物Ｘの面に対して直交する位置にはなりにくく、書類などの被綴じ物Ｘの抜け落ちに対する抵抗力を保つことができる。
【００２５】
なお、押圧部７６の形状としては、綴じ部材７０の端部を折り曲げた形状に限らず、図１３に示すように、湾曲する板状の綴じ部材７０の先端部を押圧部７６としてもよい。この場合、綴じ部材７０の断面形状を半円形などの形状にしておけば、図１４に示すように、書類などの被綴じ物Ｘが厚みに関係なく、書類などの被綴じ物Ｘの面に対する押圧部７６の角度にあまり変わりはない。そのため、綴じ部材７０の全体で書類などの被綴じ物Ｘの引き抜き方向にかかる力に対抗することができ、書類などの被綴じ物Ｘが外れにくくなる。それに対して、図１５に示すように、綴じ部材７０の断面形状が矩形に折り曲げられた形状である場合、書類などの被綴じ物Ｘが厚くなると、押圧部７６が書類などの被綴じ物Ｘの引き抜き方向に傾斜するため、書類などの被綴じ物Ｘの引き抜き方向にかかる力に対する抵抗力が弱く、書類などの被綴じ物Ｘが外れやすくなる。したがって、綴じ部材７０の先端部を折り曲げないで押圧部７４とする場合、綴じ部材７０の断面形状は、半円形などのような湾曲した形状にすることが好ましい。
【００２６】
また、綴じ部材７０を折り曲げて押圧部７６とする場合、図１６に示すように、１回だけ綴じ部材７０の先端部を回転中心側に折り曲げて押圧部７６としてもよい。この場合、折曲部７４は形成されないが、書類などの被綴じ物Ｘを引き抜くような力が加わったときに、押圧部７６の傾斜方向とは逆向きの力が加わり、押圧部７６が起き上がるように変形する。そのため、押圧部７６の変形が元に戻ろうとする力により、書類などの被綴じ物Ｘの引き抜きに対して抵抗力を得ることができる。なお、図１３、図１５、図１６などに示すような押圧部７６を有する綴じ具２０においても、図８ないし図１０に示すように、押圧部７６で押圧する部分は、１本の直線状であってもよいし、直線上の複数個所における点または線状の部分であってもよい。
【００２７】
綴じ部材７０を開いたとき、図１７（Ａ）（Ｂ）に示すように、基板２２からの押圧部７６の高さＨが同じであれば、綴じ部材７０の幅が大きいほうが、基板２２の面上において、閉じたときの位置とのずれＸが小さくなる。そのため、書類などの被綴じ物Ｘを綴じるときに、綴じ部材７０が開いたときの押圧部７６の位置から書類などの被綴じ物Ｘの綴じ位置までの誤差が少なく、書類などの被綴じ物Ｘの綴じ込みを容易にすることができる。
【００２８】
前記実施の形態においては、ばね部材５０の綴じ部材７０への固定側の端部５０ｃが、軸受板２４に近い位置に形成されたが、押圧部７６の長手方向において全体的に力が加わるようにするために、折曲部７４の長手方向における中央近傍においてばね部材５０の綴じ部材７０への固定側の端部５０ｃが固定されるようにしてもよい。
【００２９】
このように、この発明の一実施の形態である綴じ具２０では、綴じ部材７０が書類などの被綴じ物Ｘの綴じ位置で動作するため、書類の所定の位置で正確に保持することが可能である。さらに、ばね部材によって、綴じ部材７０の先端側の押圧部７６近傍が付勢されるため、操作レバー６０を操作することにより力が効率的に押圧部７６に加わり、書類などの被綴じ物Ｘが外れにくくなる。
【００３０】
この発明は、前記実施の形態にかぎらず、この発明の思想に基づき種々変更することが可能である。
次に、前記図１ないし図７図示実施の形態の変形例について説明する。
図１８は、この発明の一実施の形態である綴じ具を示す斜視図であり、図１９はこの綴じ具を閉じた状態を示す斜視図であり、図２０は図１８に示す綴じ具のばね部材及びスペーサー部の近傍を表わした平面図解図であり、図２１は図１８に示す綴じ具のばね部材及びピンを示す平面図解図であり、図２２は綴じ具を開いた状態を示す側面図解図であり、図２３は綴じ具を閉じた状態を示す側面図解図であり、図２４は図１８に示す綴じ具の分解斜視図であり、図２５は綴じ部材の正面図であり、図２６は図１８に示す綴じ具の綴じ部材及びばね部材の作動状態を示す図解図であり、図２７は図１８に示す綴じ具の綴じ部材及びばね部材の作動状態を示す図で、（Ａ）は正断面図解図であり、（Ｂ）は一部分の側面図解図であり、図２８は図１８に示す綴じ具で少ない書類を綴じたときの押圧部の状態を示す図解図であり、図２９は図１８に示す綴じ具の綴じ部材及びばね部材の作動状態を示す図で、（Ａ）は正断面図解図であり、（Ｂ）は一部分の側面図解図であり、図３０は図１８に示す綴じ具で多い書類を綴じたときの押圧部の状態を示す図解図である。
綴じ具２２０は、金属製薄板によって形成される台部材を構成する板状本体たる基板２２２を含む。基板２２２の幅方向の第２端部における直線状長手端縁に操作部材固定部を構成する軸受部を備え、軸受部は、図２４に示すように、基板２２２に対して直立する起立面部を有する軸受板２２４が一体的に形成されてなる。軸受板２２４は、基板２２２の長手方向の手前側端縁より向こう側端縁近傍に至るまで連続して形成される。軸受板２２４の長手方向の一端側（向こう側）には、操作部材固定部を構成する円形の貫通孔２２６が形成され、軸受板２２４の長手方向の他端側（手前側）には、後述の操作レバーを固定するための固定用凸部２２８が形成される。固定用凸部２２８は、たとえば軸受板２２４に４角形の孔を形成し、孔の上方部分を基板２２２側に押し出すことにより形成される。
【００３１】
軸受板２２４の貫通孔２２６形成部の向こう側近傍において、軸受板２２４と適宜な間隔を隔てて基板２２２の長手方向の一端側の角部が切り起こされ、枢支部２３０が形成される。枢支部２３０の主面は、軸受板２２４の主面と直交するように形成される。この枢支部２３０には、円形の貫通孔２３２が形成される。さらに、固定用凸部２２８の手前側近傍において、枢支部２３０の主面に平行な面を有する別の枢支部２３４が形成される。枢支部２３４は、基板２２２にＵ字状の切り込みを形成し、この部分を切り起こすことにより形成される。この枢支部２３４には、円形の貫通孔２３６が形成される。これらの枢支部２３０と枢支部２３４とは対向し、その貫通孔２３２，２３６を結ぶ線は、軸受板２２４の基板２２２側の主面に平行となるように配置される。
【００３２】
さらに、これらの枢支部２３０，２３４の間であって、枢支部２３０の貫通孔２３２と枢支部２３４の貫通孔２３６とを結ぶ線より軸受部２２４から離れる側において、軸受板２２４の面と平行な面を有する軸受部２３８が形成される。この軸受部２３８も、基板２２２にＵ字状の切り込みを形成し、この部分を切り起こすことにより形成される。この軸受部２３８には、円形の貫通孔２４０が形成され、軸受板２２４の貫通孔２２６と軸受部２３８の貫通孔２４０とが対向するように配置される。すなわち、枢支部２３０の貫通孔２３２と枢支部２３４の貫通孔２３６とを結ぶ線と、軸受板２２４の貫通孔２２６と軸受部２３８の貫通孔２４０とを結ぶ線とが、互いに斜交するように形成される。また、基板２２２の幅方向の他端側には、２つの凸部２４２が形成される。これらの凸部２４２は、基板２２２の長手方向に一定の間隔をおいて並んで形成される。そして、基板２２２の長手方向の両側には、綴じ具２２０をファイルなどに取り付けるための貫通孔２４４が向こう側と手前側とに一対形成される。
【００３３】
軸受板２２４の貫通孔２２６と軸受部２３８の貫通孔２４０には、軸２４６が挿通され、軸２４６に捩りコイルばねからなるばね部材２５０および操作部材たる操作レバー２６０が取り付けられる。
ばね部材２５０は、軸２４６の外周に巻装された巻線部２５０ａと、前記巻線部２５０ａの一端から綴じ部材２７０側に延びる第１端部２５０ｃと、前記巻線部２５０ａの軸受板２２４側の他端から操作部材２６０側に直線状に延びる第２端部２５０ｂとを有している。
【００３４】
ばね部材２５０の第２端部２５０ｂは、巻線部２５０ａの軸受板２２４側でその後側の上端より手前側に直線状に延び、その先端が外力を受けないときは、その先端が手前側に斜め上方に向けて延びるように形成されている。
第１端部２５０ｃは、巻線部２５０ａの軸受部２３８側でその手前側の下端より軸受板２２４とは反対側に延びた立ち上がり部２５０ｂを備え、外力を受けないときは略Ｌ字状となるように、上方に延びた立ち上がり部２５０ｄの上端から斜め上方に架け渡し部２５０ｅが延び、架け渡し部２５０ｅの自由端側に水平方向に屈曲した係止部２５０ｆが突設されている。
前記外力が作用しない第１端部２５０ｃと外力が作用しない第２端部２５０ｂ（特に立ち上がり部２５０ｂ）とは、巻線部２５０ａからその先端に向かうに従って、それぞれが離れ拡がる方向に向けて延びる略八の字状に形成されている。
【００３５】
基板２２２は、軸２４６の一端を軸支する軸固定部たる軸受板２２４と、前記軸受板２２４の貫通孔２２６より向こう側にわずかにずれた位置に形成され、軸２４６の他端を軸支する軸固定部たる軸受部２３８とを有する。
軸受板２２４の貫通孔２２６に固定された軸２４６は、その綴じ部材２７０側である軸受部２３８側の方が、軸２４６の軸受板２２４側を中心にして操作レバー２６０の自由端より離れる方向に水平面上において回転した位置において、軸受部２３８の貫通孔２４０に固定されている。
ばね部材２５０は、軸固定部たる軸受板２２４と軸受部２３８との間において、巻線部２５０ａが軸２４６の軸回りに略水平に装着され、前記外力が作用しない第２端部２５０ｂは、操作レバー２６０の長手方向と略平行に操作レバー２６０に固定されている。
すなわち、前記外力が作用しない第２端部２５０ｂは、被綴じ物Ｘを押圧するロック状態とロックを解除する状態とに操作レバー２６０を回動させる方向、すなわち操作レバー２６０が回動する軌道面に沿って、操作レバー２６０に固定されている。
【００３６】
巻線部２５０ａの内径は、軸２４６の外径と略同じで、殆んどクリアランスがない状態において、軸２４６の外周面上に巻線部２５０ａが巻装されている。
すなわち、巻線部２５０ａは、操作レバー２６０の長手方向とは斜めに交差するように第２端部２５０ｂ側から第１端部２５０ｃ側に向けて延び、ばね部材２５０の第１端部２５０ｃの側が、第２端部２５０ｂの側より向こう側の位置において、基板２２２に固定されている。
ばね部材２５０に外力が作用しないとき、第１端部２５０ｃは、操作レバー２６０の自由端を軸２４６を枢軸として押し上げるように形成され、第２端部２５０ｂは、綴じ部材２７０を基板２２２の表面に接近するように形成されている。
ばね部材２５０は、第２端部２５０ｃが操作レバー２６０の長手方向と略平行に操作レバー２６０に固定されているので、操作レバー２６０を倒伏位置に向けて押し下げるとき、軸受板２２４と略平行な方向すなわち垂直方向に向けて押し下げ、軸受板２２４に形成された固定部たる固定用凸部２２８に係止させることができる。
【００３７】
操作レバー２６０は、金属板などによって長尺状に形成され、その強度を高めるために、横断面略Ｌ字状または横断面略Ｕ字状に形成され、軸受板２２４側の第１垂直側壁２６０ａと、第１垂直側壁２６０ａと一定の間隔をおいて平行に形成された第２垂直側壁２６０ｂとを備える。
操作レバー２６０の長手方向の一端側における第１垂直側壁２６０ａには、円形の貫通孔２６２が形成される。そして、軸２４６が、操作レバー２６０の貫通孔２６２と第１垂直側壁２６０ａの内側に配設されたばね部材２５０の巻線部２５０ａとに挿通するようにして、軸受板２２４および軸受部２３８に取り付けられる。ばね部材２５０の第２端部２５０ｂは、操作レバー２６０の内側に沿って配置され、操作レバー２６０の第１垂直側壁２６０ａの一部を内側に折り曲げた折曲片２６４によって固定される。さらに、操作レバー２６０の第１垂直側壁２６０ａには、軸受板２２４の固定用凸部２２８に対応する位置に矩形の貫通孔２６６が形成される。この貫通孔２６６に固定用凸部２２８が嵌め込まれることにより、操作レバー２６０が軸受板２２４に固定される。また、操作レバー２６０の長手方向の他端側は、幅広の操作部２６０ｃが形成され、指で操作しやすくなっている。
なお、固定用凸部２２８は、操作レバー２６０の第１垂直側壁２６０ａ及び第２垂直側壁２６０ｂが基板２２２の表面に達する前に、操作レバー２６０の貫通孔２６２から外れる幅を有している。
【００３８】
前記操作レバー２６０は、軸受板２２４に固定する部位である固定部たる第１垂直側壁２６０ａを備え、軸受板２２４は、前記操作レバー２６０の第１垂直側壁２６０ａと接して操作レバー２６０を固定する部位である操作部材固定部たる貫通孔２２６周辺に、スペーサー３２４を備える。
すなわち、軸２４６の固定部たる貫通孔２２６の周辺は、操作レバー２６０側に向けて円環状に打ち出し膨出されたスペーサー３２４が形成されている。そして、スペーサー３２４の突出分だけ軸受板２２４の内面と操作レバー２６０の第１垂直側壁２６０ａの外面との間に間隔があき、操作レバー２６０をロック状態とロックを解除する状態とに回動させるとき、ばね部材２５０の不要な力が操作レバー２６０にかかることなく操作レバー２６０が軸受板２２４に擦れることがない。
この実施の形態においては、スペーサー３２４が軸受板２２４に形成されたが、スペーサー３２４は、操作レバー２６０側に形成してもよく、また軸受板２２４と操作レバー２６０の両方に形成してもよい。例えば、操作レバー２６０の第１垂直側壁２６０ａの周辺を、軸受板２２４側に向けて円環状に膨出されたスペーサーを形成するようにしてもよい。
【００３９】
さらに、基板２２２上には、平面視略長方形状の綴じ部材２７０が、基板２２２の長手方向に延びて軸受板２２４と平行に取り付けられ、軸受板２２４とは反対側の長手端縁が基板２２２の表面に接近離間するように形成される。綴じ部材２７０は、たとえば１枚の金属板によって形成される。綴じ部材２７０は、たとえば枢支部２３０，２３４の距離に略等しい長さを有し、幅方向において上方に向けて膨らむように屈曲する形状（断面略Ｌ字状）に形成される。
そして、綴じ部材２７０の幅方向の軸受板２２４側において、その長手方向の両側に突出する枢軸たる突出片２７２が形成される。これらの突出片２７２が、枢軸受けたる枢支部２３０の貫通孔２３２および枢軸受けたる枢支部２３４の貫通孔２３６に嵌め込まれる。したがって、綴じ部材２７０は、２つの突出片２７２を結ぶ線を回転中心として回動可能となっている。なお、突出片２７２の強度を高め、貫通孔２３２，２３６内で突出片２７２が回転しやすいように、突出片２７２は幅方向に屈曲するように形成される。このように、綴じ部材２７０から突出する突出片２７２を枢支部２３０，２３４の貫通孔２３２，２３６に嵌め込むことにより、別部品たる回転軸などを用いて綴じ部材２７０を回動可能に保持する場合に比べて、部品数を少なくすることができる。
【００４０】
また、綴じ部材２７０の幅方向における軸受板２２４の反対側は、上述の回転中心側（突出片２７２側）に向かって水平面に対して略２０°折り曲げられ、折曲部２７４が形成される。折曲部２７４は、綴じ部材２７０の手前側端縁より向こう側端縁に至るまで連続して形成される。さらに、折曲部２７４の先端側が基板２２２側に向かって折り曲げられ、書類などの被綴じ物Ｘを押えるための押圧部２７６が形成される。押圧部２７６は、折曲部２７４の手前側端縁より向こう側端縁に至るまで連続して形成される。押圧部２７６は、綴じ部材２７０が基板２２２側に閉じた状態のときに、折曲部２７４から基板２２２に向かうにしたがって、綴じ部材２７０の回転中心側に傾斜するように形成される。したがって、折曲部２７４と押圧部２７６とは、略Ｌ字状に連設される。この押圧部２７６によって、書類などの被綴じ物Ｘが１本の直線状に押圧される。ここで、綴じ部材２７０が基板２２２側に閉じた状態のときに、折曲部２７４は綴じ部材２７０の端部側から綴じ部材２７０の内側に向けて上昇する。
【００４１】
綴じ部材２７０は、図２５において示すように、突出片２７２側より軸受板２２４とは反対側の斜め上方に延びた立ち上がり部２７０ａと、立ち上がり部２７０ａの上端から斜め下方（水平面に対して略２２°）に向けて延びた架け渡し部２７０ｂと、架け渡し部２７０ｂの自由端に形成された折曲部２７４および押圧部２７６とを備え、前記立ち上がり部２７０ａと架け渡し部２７０ｂと折曲部２７４および押圧部２７６とは、一体形成されている。
架け渡し部２７０ｂの自由端には、綴じ部材２７０の手前側端縁より向こう側端縁に亘って斜め下方（垂直面に対して略１５°）に向けて折り曲げられて、屈曲部２７０ｃが形成されている。屈曲部２７０ｃの自由端には、折曲部２７４が連設され、折曲部２７４は、架け渡し部２７０ｂと一定の間隔をおいて略平行に形成され、書類などの被綴じ物Ｘを押えるときに架け渡し部２７０ｂ側に若干撓みつつ押圧部２７６が書類などの被綴じ物Ｘを押圧し得るように形成されている。
綴じ部材２７０の立ち上がり部２７０ａは、操作レバー２６０を固定用凸部２２８から外すことができるスペースを確保するように、軸受板２２４との間が上方に向かうに従って拡がる傾斜面（垂直面に対して略４５°傾斜した面）が形成されている。
【００４２】
ばね部材２５０は、第１端部２５０ｃが綴じ部材２７０の内面に近似した形状に形成され、ばね部材２５０の立ち上がり部２５０ｄが綴じ部材２７０の立ち上がり部２７０ａの内面近傍にそしてばね部材２５０の架け渡し部２５０ｅが綴じ部材２７０の架け渡し部２７０ｂの内面近傍に位置するように、綴じ部材２７０の内面側に設けられている。
【００４３】
折曲部２７４には、矩形の貫通孔２７８が形成され、ばね部材２５０の第１端部２５０ｃが架け渡し部２７０ｂ側より嵌め込まれ、ばね部材２５０の第１端部２５０ｃの先端部（係止部２５０ｆ）が折り曲げられて貫通孔２７８から外れないようにされている。この実施の形態においては、貫通孔２７８は、綴じ部材２７０の前後端に形成された突出片２７２の間において、軸２４６に巻装された巻線部２５０ａに近い位置に形成されている。さらに、押圧部２７６には、書類などの被綴じ物Ｘを押さえ付けたときの力による変形を防ぐために、直線状のリブ２８０が形成されている。
【００４４】
ばね部材２５０の先端部（係止部２５０ｆ）は、図２６において示すように、綴じ部材２７０が閉じた状態のときと開いた状態のときのいずれのときにも、基板２２２の幅方向における位置は殆ど変わらない。そして、綴じ部材２７０が綴じる書類などの被綴じ物Ｘを押圧して操作レバー２６０を固定用凸部２２８に係止させたときには、ばね部材２５０の第１端部２５０ｃが屈曲状態から伸びた状態になるとともに先端部（係止部２５０ｆ）がねじれて係止部２５０ｆが水平状態から下向きに変形するが、このばね部材２５０の変形状態を許容できるように、貫通孔２７８が折曲部２７４の長手方向及び幅方向に延びている。
【００４５】
基板２２２は、枢支部２３４の突出片２７２より外側において、綴じる書類などの被綴じ物Ｘの端縁を揃えるための軸受板２２４の面と平行な面を有する、用箋揃え部２９０が形成されている。
用箋揃え部２９０も、基板２２２にＵ字状の切り込みを形成し、この部分を切り起こすことにより形成される。
なお、枢支部２３４は、軸受板２２４とは反対側の端縁が、用箋揃え部２９０の軸受板２２４とは反対側の表面と同一平面（想像上）上に揃うように形成されている。
したがって、枢支部２３４の端縁がガイドとなって、用箋揃え部２９０に綴じる書類などの被綴じ物Ｘの端縁を当接させて綴じることができる。
【００４６】
このような綴じ具２２０は、たとえば基板２２２に形成された貫通孔２４４に取付用金具などを挿通することにより、ファイルなどに取り付けられる。そして、操作レバー２６０を操作することにより、綴じ部材２７０を開閉することができる。ここで、図１８に示すように、操作レバー２６０を上げることにより、ばね部材２５０の他方側２５０ｃが綴じ具２２０を持ち上げ、基板２２２と綴じ部材２７０の押圧部２７６との間に隙間が生じる。この隙間に書類などの被綴じ物Ｘが挿入され、操作レバー２６０を下げることにより、綴じ部材２７０が閉じて、押圧部２７６によって書類などの被綴じ物Ｘが基板２２２に向かって押し付けられる。つまり、操作レバー２６０を下げることにより、ばね部材２５０の巻線部２５０ａが締め付けられ、ばね部材２５０の第１端部２５０ｃによって、押圧部２７６が基板２２２方向に付勢される。
【００４７】
このとき、図２７及び２８に示すように、書類などの被綴じ物Ｘに対して、押圧部２７６が斜めに押し付けられる。そして、書類などの被綴じ物Ｘを引き抜くような力が加わったとき、押圧部２７６の傾斜方向とは逆向きの力が加わるとともに、折曲部２７４および押圧部２７６の屈曲部分をさらに屈曲させる向きの力が加わる。このような折曲部２７４および押圧部２７６の変形が元に戻ろうとする力により、押圧部２７６から書類などの被綴じ物Ｘの引き抜きに対して抵抗力となるような力が加わり、書類などの被綴じ物Ｘが綴じ具２２０から外れにくくなる。
【００４８】
さらに、押圧部２７６が折曲部２７４から基板２２２側に向かうにしたがって綴じ部材２７０の回転中心側に向かうように傾斜しているため、図２９及び３０に示すように、書類などの被綴じ物Ｘが厚くなっても、書類などの被綴じ物Ｘが薄いときと比してやや立ちぎみとはなるが、押圧部２７６は書類などの被綴じ物Ｘの面に対して直交する位置にはなりにくく、書類などの被綴じ物Ｘの抜け落ちに対する抵抗力を保つことができる。
【００４９】
この発明は、前記実施の形態にかぎらず、この発明の思想に基づき更に変更することが可能である。
このＺ式金具、すなわち綴じ具６２０は、図３１及び３２に示すようなファイル・バインダー類を構成する表紙の背表紙に沿って取り付けられる台部材を構成する板状本体たる基板６２２を含み、基板６２２の幅方向の一端側に軸受板６２４が直立して設けられている。軸受板６２４には、基板６２２に対して垂直な平面内で回動可能に、操作レバー６６０が軸支され、内側面には操作レバー６６０をロック状態にする固定用凸部６２８が突設されている。
操作レバー６６０は、軸受板６２４側の側壁に固定用凸部６２８に係合されて、操作レバー６６０をロック状態にするための嵌合孔６６２が穿設されている。
【００５０】
さらに、操作レバー６６０の回動と連動して基板６２２に対して接近離間する綴じ部材６７０が設けられる。綴じ部材６７０と操作レバー６６０との間には、操作レバー６６０を操作したときに、綴じ部材６７０を基板６２２側に付勢するためのばね部材６５０が設けられている。このばね部材６５０を挟んで両側に、クランク６９２が取り付けられる。クランク６９２は、軸受板６２４と綴じ部材６７０の間に掛け渡され、綴じ部材６７０が基板６２２に対してほぼ平行な姿勢で基板６２２に接近離間するようにしている。綴じ部材６７０は、断面略逆Ｕ字状の断面形状を有し、幅方向の両側で書類などの被綴じ物Ｘを押える構成となっている。
【００５１】
ばね部材６５０は、軸受板６２４に設けた支点軸６４６に外嵌する巻線部６５０ａの両端から延長させた入力腕たる第２端部６５０ｂ及び出力腕たる第１端部６５０ｃとからなり、前記第２端部６５０ｂを操作レバー６６０に連結すると、共に前記第１端部６５０ｃの先端から略直角に延長させた架け渡し部６５０ｅを、綴じ部材６７０に設けた長手方向に長い長孔（図示せず）に嵌入させるように形成されている。
従って、操作レバー６６０は、押し下げた後、水平移動させ、且つ、固定用凸部６２８を貫通孔６６２に嵌入させると、操作レバー６６０がロックされる。このロックを解除するには、操作レバー６６０を前記とは逆方向に水平移動させればよい。
このような綴じ具６２０では、操作レバー６６０を操作することにより、綴じ部材６７０が軸受板６２４に沿って移動しながら基板６２２方向に変位し、書類などの被綴じ物Ｘを挟み込んで保持することができる
【００５２】
ばね部材６５０は、軸６４６の外周に巻装された巻線部６５０ａと、前記巻線部６５０ａから綴じ部材６７０側に延びる第１端部６５０ｃと、前記巻線部６５０ａから操作部材６６０側に直線状延びる第２端部６５０ｂとを有し、前記外力が作用しない第１端部６５０ｃと外力が作用しない第２端部６５０ｂとは、巻線部６５０ａからその先端に向かうに従って、それぞれが離れ拡がる方向に向けて延びる略八の字状に形成されている。
【００５３】
基板６２２は、軸６４６の一端を軸支する軸固定部たる軸受板６２４と、前記軸受板６２４の貫通孔６２６より向こう側にわずかにずれた位置に形成され、軸６４６の他端を軸支する軸固定部たる軸受部６３８とを有する。
軸受板６２４の貫通孔６２６に固定された軸６４６は、その綴じ部材６７０側である軸受部６３８側の方が、軸６４６の軸受板６２４側を中心にして操作レバー６６０の自由端より離れる方向に水平面上において回転した位置において、軸受部６３８の貫通孔６４０に固定されている。
ばね部材６５０は、軸固定部たる軸受板６２４と軸受部６３８との間において、巻線部６５０ａが軸６４６の軸回りに略水平に装着され、前記外力が作用しない第２端部６５０ｂは、操作レバー６６０の長手方向と略平行に操作レバー６６０に固定されている。
すなわち、前記外力が作用しない第２端部６５０ｂは、被綴じ物Ｘを押圧するロック状態とロックを解除する状態とに操作レバー６６０を回動させる方向、すなわち操作レバー６６０が回動する軌道面に沿って、操作レバー６６０に固定されている。
【００５４】
巻線部６５０ａの内径は、軸６４６の外径と略同じで、殆んどクリアランスがない状態において、軸６４６の外周面上に巻線部６５０ａが巻装されている。
すなわち、巻線部６５０ａは、操作レバー６６０の長手方向とは斜めに交差するように第２端部６５０ｂ側から第１端部６５０ｃ側に向けて延び、ばね部材６５０の第１端部６５０ｃの側が、第２端部６５０ｂの側より向こう側の位置において、基板６２２に固定されている。
ばね部材６５０に外力が作用しないとき、第１端部６５０ｃは、操作レバー６６０の自由端を軸６４６を枢軸として押し上げるように形成され、第２端部６５０ｂは、綴じ部材６７０を基板６２２の表面に接近するように形成されている。
【００５５】
ばね部材６５０は、第２端部６５０ｃが操作レバー６６０の長手方向と略平行に操作レバー６６０に固定されているので、操作レバー６６０を倒伏位置に向けて押し下げるとき、軸受板６２４と略平行な方向すなわち垂直方向に向けて押し下げ、軸受板６２４に形成された固定部たる固定用凸部６２８に係止させることができる。
【００５６】
操作レバー６６０は、金属板などによって長尺状に形成され、その強度を高めるために、横断面略Ｌ字状または横断面略Ｕ字状に形成され、軸受板６２４側の第１垂直側壁６６０ａと、第１垂直側壁６６０ａと一定の間隔をおいて平行に形成された第２垂直側壁６６０ｂとを備える。
操作レバー６６０の長手方向の一端側における第１垂直側壁６６０ａには、円形の貫通孔６６２が形成される。そして、軸６４６が、操作レバー６６０の貫通孔６６２と第１垂直側壁６６０ａの内側に配設されたばね部材６５０の巻線部６５０ａとに挿通するようにして、軸受板６２４および軸受部６３８に取り付けられる。ばね部材６５０の第２端部６５０ｂは、操作レバー６６０の内側に沿って配置され、操作レバー６６０の第１垂直側壁６６０ａの一部を内側に折り曲げた折曲片６６４によって固定される。さらに、操作レバー６６０の第１垂直側壁６６０ａには、軸受板６２４の固定用凸部６２８に対応する位置に矩形の貫通孔６６６が形成される。この貫通孔６６６に固定用凸部６２８が嵌め込まれることにより、操作レバー６６０が軸受板６２４に固定される。また、操作レバー６６０の長手方向の他端側は、幅広の操作部６６０ｃが形成され、指で操作しやすくなっている。
なお、固定用凸部６２８は、操作レバー６６０の第１垂直側壁６６０ａ及び第２垂直側壁６６０ｂが基板６２２の表面に達する前に、操作レバー６６０の貫通孔６６２から外れる幅を有している。
【００５７】
前記操作レバー６６０は、軸受板６２４に固定する部位である固定部たる第１垂直側壁６６０ａを備え、軸受板６２４は、前記操作レバー６６０の第１垂直側壁６６０ａと接して操作レバー６６０を固定する部位である操作部材固定部たる貫通孔６２６周辺に、スペーサー７２４を備える。
すなわち、軸６４６の固定部たる貫通孔６２６の周辺は、操作レバー６６０側に向けて円環状に打ち出し膨出されたスペーサー７２４が形成されている。そして、スペーサー７２４の突出分だけ軸受板６２４の内面と操作レバー６６０の第１垂直側壁６６０ａの外面との間に間隔があき、操作レバー６６０をロック状態とロックを解除する状態とに回動させるとき、操作レバー６６０が軸受板６２４に擦れることがない。
この実施の形態においては、スペーサー７２４が軸受板６２４に形成されたが、スペーサー７２４は、操作レバー６６０側に形成してもよく、また軸受板６２４と操作レバー６６０の両方に形成してもよい。例えば、操作レバー６６０の第１垂直側壁６６０ａの周辺を、軸受板６２４側に向けて円環状に膨出されたスペーサーを形成するようにしてもよい。
【００５８】
この発明は、前記実施の形態に限らず、この発明の思想に基づき、種々変更することが可能である。
例えば、図１８ないし３０において図示した実施の形態である綴じ具２２０を、次のように変更してもよい(図３３及び図３４図示)。
板状の台部材たる基板２２２と、前記基板２２２上において被綴じ物Ｘを押圧して保持する押圧部２７６を有する綴じ部材２７０と、前記基板２２２の軸２４６に固定され、被綴じ物Ｘを押圧するロック状態とロックを解除する状態とに回動可能に設けられた操作部材たる操作レバー２６０と、前記基板２２２上に固定された軸２４６に装着され、前記操作レバー２６０に連結されるとともに綴じ部材２７０に連結され、被綴じ物Ｘを押圧する方向に綴じ部材２７０を付勢するばね部材２５０とを含み、前記ばね部材２５０は、軸２４６の外周に装着された巻線部２５０ａと、前記巻線部２５０ａから綴じ部材２７０側に延びる第１端部２５０ｃと、前記巻線部２５０ａから操作レバー２６０側に延びる第２端部２５０ｂとを有し、前記外力が作用しない第１端部２５０ｃと外力が作用しない第２端部２５０ｂとは、巻線部２５０ａからその先端に向かうに従って、それぞれが離れ拡がる方向に向けて延びるように形成され、前記基板２２２は、板状本体たる基板２２２と、その一端部より上方に向けて突設された操作部材固定部を構成する軸受部たる軸受板２２４とを備え、前記軸受板２２４は、操作レバー２６０の固定部を枢支し、且つ軸２４６の固定部の周辺において、操作レバー２６０側に向けて突設され、操作レバー２６０と接触するスペーサー３２４が形成されている。
前記ばね部材２５０は、巻線部２５０ａが捩りコイルばねで、第２端部２５０ｂは、ばね部材２５０の長手方向に直線状に延びて形成され、その先端部は軸受板２２４の内側に近い位置まで延びている。巻線部２５０ａは、綴じ部材２７０の長手方向と略直交するように、第２端部２５０ｂ側から第１端部２５０ｃ側に向けて延びて形成されている。
【００５９】
前記基板２２２は、軸２４６の両端を軸支する軸固定部たる軸受部２３８を有し、前記操作レバー６０は、自由端とは反対側端の近傍で、前記軸受板２２４と軸受部２３８との間において、軸２４６により、軸受板２２４と軸受部２３８とに回動自在に固定されている。
そして、前記ばね部材２５０は、軸固定部たる軸受板２２４と軸受部２３８との間において、軸受板２２４と直交するように、巻線部２５０ａが軸２４６の軸回りに装着されている。
前記軸受部２３８は、操作レバー２６０の固定部を枢支し、且つ軸２４６の固定部の周辺において、操作レバー２６０側に向けて突設され、操作レバー２６０と接触するスペーサー３２４が形成されているので、前記巻線部２５０ａは、少なくとも巻線部２５０ａの第２端部２５０ｂ側より第２端部２５０ｂの先端の拡がった幅に対応する距離を、操作レバー２６０を固定する軸受部２３８より綴じ部材２７０側の方向に離れて前記操作レバー２６０の固定部の近傍において固定されている。
ばね部材２５０の第２端部２５０ｂは、ロックを解除する方向に力を作用させることが少なく、操作レバ−２６０を被綴じ物Ｘを押圧するロック状態にするために軸受部２３８側に移動させるときもまたロックを解除するために軸受部２３８とは離れる方向に向けて移動させるときにも、操作レバー２６０は不要な力がかかることなく操作でき、操作性が良い。
【００６０】
また、固定用凸部２２８を軸受板２２４に形成したが、固定用凸部２２８を操作レバー２６０に形成し、それに対応して貫通孔２６６を軸受板２２４に形成してもよい。
また、スペーサー３２４は、前記実施の形態のスペーサー３２４のように軸受板２２４の操作レバー２６０と対向する主面より膨出するのではなく、別途軸受部２３８と同様に軸受板２２４よりスペーサの高さ分すなわち第二端部２５０ｂの拡がった距離に相当する分離れて、板本体たる基板２２２より起立するようにしてもよい。
【図面の簡単な説明】
【００６１】
【図１】この発明の一実施の形態である綴じ具を示す斜視図である。
【図２】図１に示す綴じ具を閉じた状態を示す斜視図である。
【図３】図１に示す綴じ具のばね部材及びスペーサー部の近傍を表わした平面図解図である。
【図４】図１に示す綴じ具のばね部材及びピンを示す平面図解図である。
【図５】図１に示す綴じ具を開いた状態を示す側面図解図である。
【図６】図１に示す綴じ具を閉じた状態を示す側面図解図である。
【図７】図１に示す綴じ具の分解斜視図である。
【図８】図１に示す綴じ具の押圧部の変形例を示す平面図である。
【図９】図１に示す綴じ具の押圧部の他の変形例を示す平面図である。
【図１０】図１に示す綴じ具の押圧部のさらに他の変形例を示す平面図である。
【図１１】図１に示す綴じ具で少ない書類を綴じたときの押圧部の状態を示す図解図である。
【図１２】図１に示す綴じ具で多い書類を綴じたときの押圧部の状態を示す図解図である。
【図１３】他の押圧部を有する綴じ部材で少ない書類を綴じた状態を示す図解図である。
【図１４】図１２に示す綴じ部材で多い書類を綴じた状態を示す図解図である。
【図１５】さらに他の押圧部を有する綴じ部材で多い書類を綴じた状態を示す図解図である。
【図１６】別の押圧部を有する綴じ部材で書類を綴じた状態を示す図解図である。
【図１７】（Ａ）（Ｂ）は、綴じ部材の幅と綴じ部材が開いたときのずれとの関係を示す図解図である。
【図１８】この発明の一実施の形態である綴じ具を示す斜視図である。
【図１９】この綴じ具を閉じた状態を示す斜視図である。
【図２０】図１８に示す綴じ具のばね部材及びスペーサー部の近傍を表わした平面図解図である。
【図２１】図１８に示す綴じ具のばね部材及びピンを示す平面図解図である。
【図２２】綴じ具を開いた状態を示す側面図解図である。
【図２３】綴じ具を閉じた状態を示す側面図解図である。
【図２４】図１８に示す綴じ具の分解斜視図である。
【図２５】綴じ部材の正面図である。
【図２６】図１８に示す綴じ具の綴じ部材及びばね部材の作動状態を示す図解図である。
【図２７】図１８に示す綴じ具の綴じ部材及びばね部材の作動状態を示す図で、（Ａ）は正断面図解図であり、（Ｂ）は一部分の側面図解図である。
【図２８】図１８に示す綴じ具で少ない書類を綴じたときの押圧部の状態を示す図解図である。
【図２９】図１８に示す綴じ具の綴じ部材及びばね部材の作動状態を示す図で、（Ａ）は正断面図解図であり、（Ｂ）は一部分の側面図解図である。
【図３０】図１８に示す綴じ具で多い書類を綴じたときの押圧部の状態を示す図解図である。
【図３１】この発明の綴じ具のさらに他の例を示す斜視図である。
【図３２】図３１に示す綴じ具の開いた状態を示す斜視図である。
【図３３】図１８に示す綴じ具を変形した例を示す平面図解図である。
【図３４】図３３に示す綴じ具のばね部材及びピンを示す平面図解図である。
【図３５】従来の綴じ具の一例を示す図解図である。
【符号の説明】
【００６２】
２０，２２０  綴じ具
２２，２２２  基板
２４，２２４  軸受板
１２４，３２４，７２４  スペーサー
２６，２２６  貫通孔
２８，２２８  固定用凸部
３０，３４，２３０，２３４  枢支部
３２，３６，４０，２３２，２３６，２４０  貫通孔
３８，２３８  軸受部
４２  凸部
４４  貫通孔
４６，２４６  軸
５０，２５０  ばね部材
５０ａ，２５０ａ  巻線部
５０ｂ，２５０ｂ  第２端部
５０ｃ，２５０ｃ  第１端部
５０ｄ，２５０ｄ  立ち上がり部
５０ｅ，２５０ｅ  架け渡し部
５０ｆ，２５０ｆ  係止部
６０，２６０  操作レバー
６０ａ  第１垂直側壁
６０ｂ  第２垂直側壁
６２，２６２  貫通孔
６４，２６４  折曲片
６６，２６６  貫通孔
７０，２７０  綴じ部材
２７０ａ  立ち上がり部
２７０ｂ  架け渡し部
２７０ｃ  屈曲部
７２，２７２  突出片
７４，２７４  折曲部
７６，２７６  押圧部
７８，２７８  貫通孔
８０，２８０  リブ
９０  用箋揃え部
Ｘ  被綴じ物
【図１】
2006315292.tif 000003
【図２】
2006315292.tif 000004
【図３】
2006315292.tif 000005
【図４】
2006315292.tif 000006
【図５】
2006315292.tif 000007
【図６】
2006315292.tif 000008
【図７】
2006315292.tif 000009
【図８】
2006315292.tif 000010
【図９】
2006315292.tif 000011
【図１０】
2006315292.tif 000012
【図１１】
2006315292.tif 000013
【図１２】
2006315292.tif 000014
【図１３】
2006315292.tif 000015
【図１４】
2006315292.tif 000016
【図１５】
2006315292.tif 000017
【図１６】
2006315292.tif 000018
【図１７】
2006315292.tif 000019
【図１８】
2006315292.tif 000020
【図１９】
2006315292.tif 000021
【図２０】
2006315292.tif 000022
【図２１】
2006315292.tif 000023
【図２２】
2006315292.tif 000024
【図２３】
2006315292.tif 000025
【図２４】
2006315292.tif 000026
【図２５】
2006315292.tif 000027
【図２６】
2006315292.tif 000028
【図２７】
2006315292.tif 000029
【図２８】
2006315292.tif 000030
【図２９】
2006315292.tif 000031
【図３０】
2006315292.tif 000032
【図３１】
2006315292.tif 000033
【図３２】
2006315292.tif 000034
【図３３】
2006315292.tif 000035
【図３４】
2006315292.tif 000036
【図３５】
2006315292.tif 000037